(57)【要約】開示の技術は、患者の感染性または炎症性の異常を治療するために、ＵＶ−Ａ／ＵＶ−Ｂの光をカテーテルで送達するためのシステムに関する。ＵＶ−ＣのレンジのＵＶ光が、慣習的に、皮膚の異常を治療するために使用されて、また、動脈のプラークの集中的な切除、及び、他のターゲットとなる内部での使用のために使用されてきたが、人体の内部での、より広範囲にわたる感染、炎症、または腫瘍形成の治療に関しては発展してこなかった。ここで、発明者（複数可）は、患者の内側の、内部の感染及び炎症性状態の管理のために使用することができる、カテーテル、カプセル、内視鏡、チューブ、またはポートを介して、ＵＶ光の治療線量の放射のためのシステムを開発した。【選択図】図１０
2019517305.tif 000002
【特許請求の範囲】
【請求項１】
体内の紫外線治療を実施するためのシステムであって、
電気的接続手段を備えている、送達用チューブと、
波長を発するように構成された、前記送達用チューブの内側の少なくとも１つのＵＶ光源であって、前記送達用チューブの実質的な長さにわたって、前記送達用チューブの外周の周りに外側に向けられた放射を送達するように配置されている、前記少なくとも１つのＵＶ光源と、
前記ＵＶ光源に、前記送達用チューブの内側で前記電気的接続手段を介して接続された電力供給源と
を備えた、前記システム。
【請求項２】
前記送達用チューブが、少なくとも部分的に透過性である、請求項１に記載のシステム。
【請求項３】
前記光源が、ＬＥＤのストリングである、請求項１に記載のシステム。
【請求項４】
前記光源が、冷陰極チューブである、請求項１に記載のシステム。
【請求項５】
前記光源が、ネオンで充填されたチューブである、請求項１に記載のシステム。
【請求項６】
前記送達用チューブが、内視鏡である、請求項１に記載のシステム。
【請求項７】
前記送達用チューブが、カテーテルである、請求項１に記載のシステム。
【請求項８】
前記波長が、ＵＶ−Ａ、ＵＶ−Ｂ、またはそれらの任意の組合せのうち少なくとも１つを含んでいる、請求項１に記載のシステム。
【請求項９】
体内の紫外線治療を実施するためのシステムであって、
電気的接続手段を備えている、送達用チューブと、
前記チューブから外側に、かつ、前記チューブの外周の周りに、ＵＶ波長を放射するように配置された、前記送達用チューブの内側のＵＶ光源と、
前記ＵＶ光源に、前記送達用チューブの内側で前記電気的接続手段によって接続された電力供給源と
を備えた、前記システム。
【請求項１０】
前記送達用チューブが、ガイドワイヤにわたって通るように構成された管腔を備えたカテーテルである、請求項９に記載のシステム。
【請求項１１】
体内の紫外線治療を実施するためのカプセルであって、
バッテリと、
前記カプセルから外側に、かつ、前記カプセルの外側の全方向に、ＵＶ波長を放射するように配置された、前記カプセルの内側の前記バッテリに接続されたＵＶ光源と、
前記バッテリ及びＵＶ光源をカバーする、生体親和性かつ非生物分解性のケーシングと
を備えた、前記カプセル。
【請求項１２】
前記ＵＶ光源が、ＵＶ−Ａ及びＵＶ−Ｂの放射を発し、ＵＶ−Ｃの放射をフィルタリングするように構成されている、請求項１１に記載のカプセル。
【請求項１３】
前記ＵＶ光源が、少なくとも１つのＬＥＤである、請求項１１に記載のカプセル。
【請求項１４】
カプセルが座剤である、請求項１１に記載のカプセル。
【請求項１５】
前記ケーシングが、嚥下のために構成されている、請求項１１に記載のカプセル。
【請求項１６】
体内の紫外線治療を実施するためのシステムであって、
ホウケイ酸塩セグメント及びシリカセグメントを備えている、送達用ロッドと、
ＵＶ−ＡとＵＶ−Ｂとの少なくとも一方を含む波長を発するように構成された、ＵＶ光源と、
前記送達用ロッドと前記ＵＶ光源との間に配置されるように構成された、光源アタッチメントと
を備えている、前記システム。
【請求項１７】
前記システムが、前記ＵＶ光源に接続された出力源をさらに備えている、請求項１６に記載のシステム。
【請求項１８】
前記光源アタッチメントが、
以下：
前記光源に接続されるように構成された前端アパーチャと、
ロッドに接続されるように構成されている、後端アパーチャと
を備えている、本体、ならびに
ネジ、端部がフラットなストッパネジ、及び釘のうち少なくとも１つを備えている、締結機構
を備え、
前記締結機構が、前記本体を前記ロッドに接続し、前記ロッドの位置を前記光源に対して安定させるように構成された、
請求項１７に記載のシステム。
【請求項１９】
前記光源アタッチメントが、前記ＵＶ光源からの光のロスを低減するために、前記前端アパーチャと前記後端アパーチャとの間に配置されるように構成された凸レンズをさらに備えている、請求項１８に記載のシステム。
【請求項２０】
前記シリカセグメントが純粋なシリカである、請求項１７に記載のシステム。
【請求項２１】
前記シリカセグメントが、その長さに沿って、その表面上が研磨されている、請求項１７に記載のシステム。
【請求項２２】
前記ホウケイ酸塩セグメントが、前記シリカセグメントよりも前記ＵＶ光源に近い、請求項１７に記載のシステム。
【請求項２３】
患者の身体の内側の炎症性または感染性の状態に対する、前記患者の治療方法であって、
請求項１、請求項８、及び請求項１７のＵＶ治療システムを提供する段階と、
患者のキャビティの内側に前記送達用チューブを挿入する段階と、
前記感染性または炎症性の状態の治療に有効である、ある量のＵＶ−Ａ及び／またはＵＶ−Ｂの放射を発するように、前記電力供給源をオンにする段階と
を含む、前記治療方法。
【請求項２４】
体内の紫外線治療を実施するためのシステムであって、
ＵＶ−Ｃフィルタリングセグメント及びＵＶ伝達セグメントを備えている送達用ロッドと、
前記フィルタリングセグメントに向けられた少なくとも１つのＵＶ光源と
を備えた、前記システム。
【請求項２５】
前記フィルタリングセグメントがホウケイ酸塩を含んでいる、請求項２４に記載のシステム。
【請求項２６】
前記送達用ロッドが可撓性である、請求項２４に記載のシステム。
【請求項２７】
前記送達用ロッドが、ＵＶ−Ａ及びＵＶ−Ｂの光を伝達するように構成された、請求項２４に記載のシステム。
【発明の詳細な説明】
【技術分野】
【０００１】
開示の分野
本発明は、紫外線治療のためのデバイス、方法、及びシステムを対象としている。より詳細には、本開示は、体内の紫外線治療のためのデバイス、方法、及びシステムを対象としている。
【背景技術】
【０００２】
開示の背景
以下の詳細な説明は、本発明の理解に有用である場合がある情報を含んでいる。本明細書に提供される情報のいずれも、従来技術であるか、本明細書で請求される発明に関すること、または、明確に、または暗黙のうちに参照されている公報のいずれも、従来技術であることは認められていない。
【０００３】
２１世紀は、スーパーバグの時代だと解されている。耐性のあるバクテリア、真菌、及びウイルスの種がますます検出されている。抗生物質の開発における現在の研究は、変異しかつ感染性疾患を引き起こし続けている微生物の適応能力に遅れている。抗生物質に対する安全な代替物は、極めて価値のあるものであることを証明することができ、また、潜在的に、年間数百万人の命を救うことができる。
【０００４】
感染性疾患に加え、免疫介在性及び炎症性の病気が、継続的に、世界的な課題となっている。過去数十年での著しい進歩に関わらず、これら病気の治療は、次善の策のままである。たとえば、炎症性の腸の病気（クローン病及び潰瘍性大腸炎）の患者の多くは、極めて高額で、著しい副作用がある治療に関わらず、その患者の病気の不適切な主観的及び客観的制御によって苦しみ続けている。侵襲的外科治療は、薬による治療が失敗した場合の、唯一の実行可能なオプションのままである。そのような治療に対する、安全で有効な、低コストの代替案により、医療費の数十億ドルが節約され、数百万人の患者の生活の質が向上することになる。さらに、マイクロバイオームと炎症とが直接相互作用することを考慮すると、両方の存在を同時に対象とすることができる治療のオプションが、もっとも重要である。
【発明の概要】
【０００５】
開示の概要
紫外光は、（１）ＵＶ−Ａ（３２０ｎｍ〜４００ｎｍ）、（２）ＵＶ−Ｂ（２８０ｎｍ〜３２０ｎｍ）、及び（３）ＵＶ−Ｃ（１１０ｎｍ〜２８０ｎｍ）の３つのスペクトルに分けられる、不可視の、イオン化しないセグメントの光スペクトルである。これら構成要素のすべては、太陽光に存在するが、ＵＶ−Ｃは、オゾン層によってほぼ完全に吸収され、地表には到達しない。ＵＶ−Ａ及びＵＶ−Ｂは、人間の皮膚におけるビタミンＤの形成に関係している。ＵＶ−Ｃの光が慣習的に、非有機的表面（たとえば、病室、水槽、通気孔など）の消毒に使用されるが、ＵＶ−Ａ及びＵＶ−Ｂの光は、顕著な対炎症性作用及び抗生作用も有している。ＵＶ−Ａ及びＵＶ−Ｂの光の抗生作用は、微細なものの中のバクテリア、古細菌、真菌、酵母菌、及びウイルスなどの、微生物の１倍体ＤＮＡ／ＲＮＡのダメージを介して引き起こされる。ＵＶ光は、現在のところ治療法がないプリオンに関する病気の、病状の進行を止めることさえ可能である。
【０００６】
しかし、哺乳類の２倍体ＤＮＡは、そのようなダメージに対してより顕著な耐性がある。たとえば、関連する遺伝子の感受性と肌のタイプとを伴う選択された個人に関し、太陽光に直接さらしても前癌性の肌の障害を生じるのに数十年かかる。ＵＶ光線療法は、たとえば、乾癬、白斑、アトピー性皮膚炎、湿疹、カポジ肉腫、扁平苔癬、肌リンパ腫、新生児黄疸などの、皮膚病の管理において広く使用されている。そのようなプロセスは、結腸鏡検査での腺腫様ポリープの検出ツールとして提案及び使用されており、卵円孔開存症を閉じるためのスーパーグルーに関しても提案されている。
【０００７】
ＵＶ−Ａ及びＵＶ−Ｂの光の耐炎症性及び抗生作用を考慮すると、これらは、皮膚ではないもの（すなわち、臓器）の感染及び炎症性の病気の管理に変革をもたらす可能性がある。ＵＶ光が慣習的に、肌の異常の治療に使用されてきたが、生体内での広範囲の感染または炎症の治療のためにはまだ開発されていない。
【０００８】
したがって、本明細書に記載のように、患者内の内部の感染及び／または炎症性の状態を治療及び管理するために、たとえば、カテーテル、カプセル、内視鏡、チューブまたはポートなどの、伝達手段を使用したＵＶ光の治療線量の放射のためのシステムが開発されている。たとえば、いくつかの例では、本発明者は、ＵＶ−Ａ／ＵＶ−ＢのレンジのＵＶ光の治療線量を、カテーテル、内視鏡、カプセル、または他のデバイスから送達して、患者の内部の感染及び炎症性の状態を治療することができるデバイスを開発した。
【０００９】
別の例では、身体の内側の広いエリアをカバーするように光を発することができる、ＬＥＤまたは冷陰極放射を利用するシステムが開発されている。したがって、これらシステムは、身体の内側で、カテーテル、内視鏡、または他のデバイスからＵＶ−Ａ及び／またはＵＶ−Ｂの光を放射して、感染または炎症性の状態を治療または管理し得る。
【００１０】
実施形態
実施形態１：
体内の紫外線治療を実施するためのシステムであって、
電気的接続手段を含んでいる、送達用チューブと、
波長を発するように構成された、前記送達用チューブの内側の少なくとも１つのＵＶ光源であって、前記送達用チューブの実質的な長さにわたって、前記送達用チューブの外周の周りに外側に向けられた放射を送達するように配置されている、前記少なくとも１つのＵＶ光源と、
前記ＵＶ光源に、前記送達用チューブの内側で前記電気的接続手段を介して接続された電力供給源と
を含む、前記システム。
実施形態２：
前記送達用チューブが、少なくとも部分的に透過性である、実施形態１に記載のシステム。
実施形態３：
前記光源が、ＬＥＤのストリングである、実施形態１に記載のシステム。
実施形態４：
前記光源が、冷陰極チューブである、実施形態１に記載のシステム。
実施形態５：
前記光源が、ネオンで充填されたチューブである、実施形態１に記載のシステム。
実施形態６：
前記送達用チューブが、内視鏡である、実施形態１に記載のシステム。
実施形態７：
前記送達用チューブが、カテーテルである、実施形態１に記載のシステム。
実施形態８：
前記波長が、ＵＶ−Ａ、ＵＶ−Ｂ、またはそれらの任意の組合せのうち少なくとも１つを含んでいる、実施形態１に記載のシステム。
実施形態９：
体内の紫外線治療を実施するためのシステムであって、
電気的接続手段を含んでいる、送達用チューブと、
前記チューブから外側に、かつ、前記チューブの外周の周りに、ＵＶ波長を放射するように配置された、前記送達用チューブの内側のＵＶ光源と、
前記ＵＶ光源に、前記送達用チューブの内側で前記電気的接続手段によって接続された電力供給源と
を含む、前記システム。
実施形態１０：
前記送達用チューブが、ガイドワイヤにわたって通るように構成された管腔を含むカテーテルである、実施形態９に記載のシステム。
実施形態１１：
体内の紫外線治療を実施するためのカプセルであって、
バッテリと、
前記カプセルから外側に、かつ、前記カプセルの外側の全方向に、ＵＶ波長を放射するように配置された、前記カプセルの内側の前記バッテリに接続されたＵＶ光源と、
前記バッテリ及びＵＶ光源をカバーする、生体親和性かつ非生物分解性のケーシングと、を含む、前記カプセル。
実施形態１２：
記ＵＶ光源が、ＵＶ−Ａ及びＵＶ−Ｂの放射を発し、ＵＶ−Ｃの放射をフィルタリングするように構成されている、実施形態１１に記載のカプセル。
実施形態１３：
前記ＵＶ光源が、少なくとも１つのＬＥＤである、実施形態１１に記載のカプセル。
実施形態１４：
前記カプセルが座剤である、実施形態１１に記載のカプセル。
実施形態１５：
前記ケーシングが、嚥下のために構成されている、実施形態１１に記載のカプセル。
実施形態１６：
体内の紫外線治療を実施するためのシステムであって、
ホウケイ酸塩セグメント及びシリカセグメントを含んでいる、送達用ロッドと、
ＵＶ−ＡとＵＶ−Ｂとの少なくとも一方を含む波長を発するように構成された、ＵＶ光源と、
前記送達用ロッドと前記ＵＶ光源との間に配置されるように構成された、光源アタッチメントと
を含む、前記システム。
実施形態１７：
前記システムが、前記ＵＶ光源に接続された出力源をさらに含む、実施形態１６に記載のシステム。
実施形態１８：
前記光源アタッチメントが、
以下：
前記光源に接続されるように構成された前端アパーチャと、
ロッドに接続されるように構成されている、後端アパーチャと、
を含んでいる、本体、ならびに
ネジ、端部がフラットなストッパネジ、及び釘のうち少なくとも１つを含んでいる、締結機構
を含み、
前記締結機構が、前記本体を前記ロッドに接続し、前記ロッドの位置を前記光源に対して安定させるように構成された、
実施形態１７に記載のシステム。
実施形態１９：
前記光源アタッチメントが、前記ＵＶ光源からの光のロスを低減するために、前記前端アパーチャと前記後端アパーチャとの間に配置されるように構成された凸レンズをさらに含む、実施形態１８に記載のシステム。
実施形態２０：
前記シリカセグメントが純粋なシリカである、実施形態１７に記載のシステム。
実施形態２１：
前記シリカセグメントが、その長さに沿って、その表面上が研磨されている、実施形態１７に記載のシステム。
実施形態２２：
前記ホウケイ酸塩セグメントが、前記シリカセグメントよりも前記ＵＶ光源に近い、実施形態１７に記載のシステム。
実施形態２３：
患者の身体の内側の炎症性または感染性の状態に対する、患者の治療方法であって、
請求項１、請求項８、及び請求項１７に記載のＵＶ治療システムを提供する段階と、
患者のキャビティの内側に前記送達用チューブを挿入する段階と、
前記感染性または炎症性の状態の治療に有効である、ある量のＵＶ−Ａ及び／またはＵＶ−Ｂの放射を発するように、電力供給源をオンにする段階と
を含む、前記治療方法。
実施形態２４：
体内の紫外線治療を実施するためのシステムであって、
ＵＶ−Ｃフィルタリングセグメント及びＵＶ伝達セグメントを含んでいる送達用ロッドと、
前記フィルタリングセグメントに向けられた少なくとも１つのＵＶ光源と
を含む、前記システム。
実施形態２４：
前記フィルタリングセグメントがホウケイ酸塩を含んでいる、実施形態２４に記載のシステム。
実施形態２５：
前記送達用ロッドが可撓性である、実施形態２４に記載のシステム。
実施形態２６：
前記送達用ロッドが、ＵＶ−Ａ及びＵＶ−Ｂの光を伝達するように構成された、実施形態２４に記載のシステム。
【図面の簡単な説明】
【００１１】
本明細書に組み込まれ、かつ、本明細書の一部を成す添付図面は、本発明の実施形態を例示しており、詳細な説明とともに、本発明の原理を説明及び図示する役割を果たす。図面は、概略的な方式で、例示的実施形態の主要な特徴を説明することが意図されている。図面は、実際の実施形態のすべての特徴も、図示された要素の相対的寸法を示すことも意図しておらず、また、拡縮して示されていない。
【００１２】
【図１】本開示の原理に従って構築された、患者の直腸に挿入されたＵＶ放射デバイスの断面図である。
【図２】本開示の原理に従って構築された、ＬＥＤを組み込んでいるＵＶ放射デバイスの概略図である。
【図３】本開示の原理に従って構築された、冷陰極を組み込んでいるＵＶ放射デバイスの概略図である。
【図４】ＵＶスペクトルの概略の例を示す図である。
【図５】本開示の原理に従って構築された、患者の直腸に挿入されたＵＶ放射デバイスの断面図である。
【図６】本開示の原理に従って構築された、患者の結腸に挿入されたＵＶ放射デバイスの断面図である。
【図７】本開示の原理に従って構築された、患者の食道及び胃に挿入されたＵＶ放射デバイスの断面図である。
【図８】本開示の原理に従って構築された、嚥下され、患者の消化器系を通して移動されるＵＶ放射デバイスの断面図である。
【図９Ａ】本開示の原理に従って構築された、光源アタッチメントの例の側面図である。
【図９Ｂ】本開示の原理に従って構築された、光源アタッチメントの例の底面図である。
【図９Ｃ】本開示の原理に従って構築された、光源アタッチメントの例の上面図である。
【図９Ｄ】本開示の原理に従って構築された、光源アタッチメントの例の側面図である。
【図９Ｅ】本開示の原理に従って使用されている、光源アタッチメントの例の側面図である。
【図１０】本開示の原理に従って構築された、ＵＶ放射デバイスの例を示す図である。
【図１１】本開示の原理に係る、フォーリーカテーテル上のＵＶ放射デバイスを使用するための方法の例を示す図である。
【図１２】大腸菌（Ｅ．ｃｏｌｉ）の増殖を防止するために使用されている、本開示のＵＶ放射デバイスの例を示す実験データの図である。
【図１３】大腸菌の増殖を防止するために使用されている、本開示のＵＶ放射デバイスの例を示す別の実験データの図である。
【図１４】マウスの結腸鏡検査で使用されている、本開示のＵＶ放射デバイスの例を示す図である。
【図１５】図１５Ａ及び図１５Ｂは、マウスの膣治療で使用されている、本開示のＵＶ放射デバイスの例を示す図である。
【図１６】図１６Ａは、大腸菌を含む液体培養での、本開示のＵＶ放射デバイスの例の使用を示す実験データの図である。図１６Ｂは、大腸菌を含む液体培養で使用されている、本開示のＵＶ放射デバイスの例を示す図である。
【図１７】大腸菌を含む液体培養での、本開示のＵＶ放射デバイスの例の使用を示す実験データの図である。
【図１８】図１８Ａ及び図１８Ｂは、大腸菌を含む液体培養での、本開示のＵＶ放射デバイスの例の使用を示す実験データの図である。
【図１９】大腸菌を含む液体培養での、本開示のＵＶ放射デバイスの例の使用を示す実験データの図である。
【図２０】大腸菌を含む液体培養での、本開示のＵＶ放射デバイスの例の使用を示す実験データの図である。
【図２１】大腸菌を含む液体培養での、本開示のＵＶ放射デバイスの例の使用を示す実験データの図である。
【図２２】大腸菌を含む液体培養での、本開示のＵＶ放射デバイスの例の使用を示す実験データの図である。
【００１３】
図面では、同じ参照符号及び頭字語が、理解を容易にするため、及び便宜的に、同じであるか同様の構造または機能の要素または作業を識別する。任意の特定の要素または作業の議論を容易に特定するために、参照符号における最上位の数字または複数の数字は、その要素が最初に導入された図の番号を示している。
【発明を実施するための形態】
【００１４】
詳細な説明
別様に規定されていない限り、本明細書で使用される技術的用語及び科学的用語は、本発明が属する分野の当業者によって一般的に理解されるものと同じ意味を有している。Ｓｚｙｃｈｅｒ’ｓ  Ｄｉｃｔｉｏｎａｒｙ  ｏｆ  Ｍｅｄｉｃａｌ  Ｄｅｖｉｃｅｓ  ＣＲＣ  Ｐｒｅｓｓ，１９９５により、本明細書で使用される用語及びフレーズの多くに対する有用なガイダンスが提供される場合がある。当業者は、本発明の実施において使用することができる、本明細書に記載の方法及び材料に類似であるか均等の多くの方法及び材料を理解することになる。むしろ、本発明は決して、明確に記載された方法及び材料には限定されない。たとえば、図面は主に、消化管における本発明を示しているが、全体で示すように、開示のシステム及び方法は、他の用途に使用することができる。
【００１５】
いくつかの実施形態では、本発明の特定の実施形態を記載及び請求するために使用される寸法、形状、相対位置などの特性は、「約（ａｂｏｕｔ）」の用語で修飾されるものと理解されるものとする。
【００１６】
本発明の様々な例をここで記載する。以下の詳細な説明により、これらの例を完全に理解することと、記載を可能にすることとのために、特定の詳細が提供される。しかし、当業者には、本発明が、これら詳細の多くを伴わずに実施され得ることを理解されたい。同様に、当業者には、本発明が、本明細書に詳細に記載されていない、多くの他の明らかな特徴を含むことができることをも理解されたい。さらに、いくつかの既知の構造または機能は、以下では詳細に示されていないか記載されていない場合があり、それにより、関連する記載を不要に不明瞭にすることを避けている。
【００１７】
以下に使用される用語は、その用語が本発明のある特定の例の詳細な記載と関連して使用されている場合であっても、そのもっとも広い理にかなった方式で解釈されるものとする。実際に、特定の用語は、以下で強調される場合さえある。しかし、いずれの限定的方式で解釈されることが意図されるいずれの用語も、明確かつ具体的に、詳細な説明のセクションにおいて、それとして規定される。
【００１８】
本明細書が多くの特定の実施態様の詳細を包含しているが、これらは、いずれの発明または特許請求の範囲に記載され得るものの範囲の限定としては解釈されないものとし、むしろ、特定の発明の特定の実施態様に特有の特徴の記載として解釈される。別々の実施態様の文脈において本明細書に記載された特定の特徴は、やはり、単一の実施態様において、組み合わせて実施され得る。反対に、単一の実施態様の文脈に記載される様々な特徴は、やはり、複数の実施態様において別々に実施され得るか、任意の適切なサブの組合せで実施され得る。さらに、各特徴が、特定の組合せで、ちょうど最初にそれとして請求されたように作用するものとして上述された場合であっても、請求された組合せからの１つまたは複数の特徴は、いくつかのケースでは、組合せから削除され得、また、請求される組合せは、サブの組合せ、または、サブの組合せの変形形態を対象とする場合がある。
【００１９】
同様に、操作が特定の順番で図面に記載され得るが、このことは、そのような操作が、所望の結果を得るために、図示の特定の順番もしくは連続した順番で実施されること、または、図示の操作すべてが実施されることを要求するものとしては理解されないものとする。特定の状況では、複数の作業を同時に行うこと、及び、並列処理が、有利である場合がある。さらに、様々なシステムの構成要素を上述の実施態様において分離することは、そのような分離がすべての実施態様において必要であるものとしては理解されないものとし、また、記載のプログラム構成要素及びシステムが、概して、単一のソフトウェア製品にともに統合され得るか、複数のソフトウェア製品にパッケージングされ得ることを理解されたい。
【００２０】
概要
ＵＶ−Ａ及びＵＶ−ＢのレンジのＵＶ光が、慣習的に、皮膚の異常を治療するため、及び、動脈のプラークの集中的な切除、及び、他のターゲットとなる内部での使用のために使用されてきたが、人体の内部での、より広範囲にわたる感染または炎症の治療に関しては発展してこなかった。本開示は、患者の内側の、内部の感染及び炎症性の状態の管理のために使用することができる、カテーテル、カプセル、内視鏡、チューブ、またはポートを介して、ＵＶ光の治療線量を放射するためのシステムを記載している。ＵＶ光の送達は、付随する光増感剤を伴ったものでもよく、伴わないものでもよい。
【００２１】
図１は、送達用チューブ１００及びいくつかのＵＶ光源１５０を含むＵＶ光管理システム、ならびに、このシステムに給電するための出力源１２０の例を示している。したがって、図示のように、介護者（たとえば、医者）が、送達用チューブ１００を結腸に誘導し、出力源１２０をオンにして、治療用の光（たとえば、ＵＶ光）を結腸領域に放射する。
【００２２】
図９Ａ〜図９Ｅは、光源アタッチメント９００を含むＵＶ光管理システムの例を示している。ここで、光源アタッチメント９００は、ＵＶ光源９５０と送達用ロッド９４０との間に取り付けられるように構成されている。
【００２３】
送達媒体
様々な送達用チューブ１００、または他の送達媒体が、治療用のＵＶ光を、身体の内部の様々な部分に送達するために利用され得る。たとえば、送達用チューブ１００は、１つまたは複数のＵＶ光源１５０を収容することが可能である、適切なカテーテル、内視鏡、カプセル（嚥下もしくは座薬のため）、または他のデバイスである場合がある。
【００２４】
本開示の一実施形態では、ＵＶ送達用チューブ１００は、直腸または口腔を介して挿入され、有効な量の抗炎症薬または他の治療線量のＵＶ光を送達するために、適切な領域に誘導され得る、内視鏡などの様々なスコープを含む場合がある。本開示の別の実施形態では、ＵＶ送達用チューブ１００は、動脈、尿道、膣及び尿路、外耳道などに挿入するのに適切なカテーテルを含む場合がある。本開示のさらに別の実施形態では、ＵＶ送達用チューブ１００は、患者の膀胱に挿入することができる、体内に留置した尿路カテーテルを含む場合がある。同様に、ＵＶ光は、たとえば、膣、直腸、食道胃接合部、胃、胆管などの臓器に、膨張バルーンのカテーテルの内側の光源を介して放射され得る。本開示のさらに別の実施形態では、ＵＶ光は、患者または医者が着用することができるグローブまたは指サックの内側の光源を介して放出することができる。ＵＶ光は、指で、たとえば口、直腸、膣などの、患者のオリフィス内に挿入され得る。
【００２５】
送達用チューブ１００は、チューブ１００の内側に配置される光源１５０を収容する特徴を含むように構成され得る。たとえば、ＬＥＤ光源１５０は、チューブ１００内の中空の導管内に配置されるか、中間部にともに接続される場合がある。他の例では、送達用チューブ１００は、ガイドワイヤを通して挿入するための中空の導管を含む場合があり、また、光源１５０及び関連する導線が、代わりに、シェル内に埋め込まれている場合がある。
【００２６】
本開示の別の実施形態では、光源１５０は、送達用チューブ１００の部分全体に沿うか、送達用チューブ１００の端部、または他の適切なレイアウトで分布される場合があり、それにより、光源１５０のより広範囲の用途を達成することができる。
【００２７】
本開示のさらに別の実施形態では、送達用チューブ（またはロッド）１００は、たとえば図１０に示すように、送達用チューブ全体が光り、送達用チューブ全体にわたって一様にＵＶ光を伝達するような方法で構築される場合がある。送達用チューブ１００は、ＵＶ−Ａレンジ及び／またはＵＶ−Ｂレンジの光のみを伝達し、ＵＶ−Ｃレンジの光は伝達しないように構成され得る。さらに、送達用チューブ１００は、熱伝導性を１０ｍｍに制限するように構成される場合がある。本開示の別の実施形態では、送達用チューブは、１０ｍｍを越える熱伝導性を得るように構成される場合がある。ライトは、医者によって判定された効率及び治療の変数に応じて、連続した治療及びパルス療法に組み込まれる場合がある。
【００２８】
送達用チューブ（またはロッド）１００は、生体親和性であるか、生体親和性コーティングを有する様々なポリマーを含む、任意の適切な構造（たとえば、剛性か柔軟）で形成され得る。本開示の一実施形態では、送達用チューブ１００は、光源１５０からのＵＶ光が内部のキャビティに放出されるように、透過性材料の外側層を少なくとも含む場合がある。本開示の一実施形態では、送達用チューブ１００は、たとえば、シリコン、シリカ、ホウケイ酸塩、ポリウレタン、ポリエチレン、Ｔｅｆｌｏｎ／ＰＴＦＥ、ホウケイ酸塩、または他の適切な材料で形成され得る。
【００２９】
本開示の別の実施形態では、送達用媒体には、送達用チューブ１００の代わりにカプセルが含まれる場合がある。そのようなシナリオでは、カプセルは、口腔または肛門から挿入される場合があり、また、カプセルは、一定期間の間、光を発する場合がある。たとえば、透明であるか半透過性ポリマー、または、カプセルの通過を可能にするように平滑である場合がある他の生体親和性コーティングを、カプセルは含む場合がある。いくつかの例では、カプセルは、光源１５０、及び、小さいバッテリなどの出力源１２０を含む場合がある。カプセルは、長期の露光のために、臓器に配置されるかピン留めされる場合がある。
【００３０】
たとえば、カプセルは、平滑なコーティング、カプセルから全方向に光を発するように配置されたＬＥＤなどのＵＶライト１５０に給電する内部バッテリを有している。したがって、カプセルが消化器系を通過する際に、カプセルは、排出されるまで治療用の光を送達する場合がある。
【００３１】
光源
送達用チューブ１００または他の送達用デバイスに応じて、ＵＶ光を発することが可能である様々な光源１５０が利用され得る。たとえば、図２は、チューブ１００に沿って分布したＬＥＤ光源１５０のストリングを含む、可撓性の送達用チューブ１００（たとえば、カテーテル、内視鏡など）の実施形態を示している。光源１５０の各々は、電気接続でともに取り付けられ、電力供給源１２０に接続されている。光源１５０は、この光源１５０が小型で、必要な電力が少ないことにより、光源１５０を送達用チューブ１００に沿って配置することを可能にしていることから、有利である場合がある。
【００３２】
したがって、光源１５０が送達用チューブ１００に沿って配置されると、光源１５０は、ＵＶ光を患者内の広い送達エリアに送達し得る。したがって、治療におけるターゲットエリアが、結腸の大部分に影響している場合がある炎症性の病気を治療するために、比較的大きくなる場合がある。
【００３３】
図３は、送達用チューブ１００が、電力供給源１２０によって給電される冷陰極である光源１５０を含む場合の例を示す図である。この実施形態では、冷陰極の光源１５０が、透過性の、可撓性送達用チューブ１００を通して光を送達する。この実施形態は、送達用チューブ（または吸引チューブ）１００を充填する不活性ガスを含む場合がある。送達用チューブ１００は、たとえば、冷陰極チューブを含む場合がある。送達用チューブ１００は、フィラメントによって電気的に加熱されない、任意のカソード光エミッタを含む場合がある。たとえば、冷陰極の蛍光性ランプが、紫外光を放出するために、水銀蒸気中の放電を利用する場合がある。
【００３４】
しかし、ほとんどの実施形態では、チューブ内で利用されるガスは、安全のために不活性であるべきである。たとえば、ネオンガスの蒸気が、十分なＵＶ光を生成するために、１２ボルトの電力供給源１２０で電圧が加えられ得る。他の例では、様々な電圧及び／または電流の他の電力供給源が、その電流波長での十分に強い光を生じるために利用される。
【００３５】
いくつかの実施形態では、光源１５０はｘ線を発する場合がある。これら実施形態に関し、本システムは、吸引チューブまたはｘ線チューブを含む場合がある。
【００３６】
電力供給源１２０は、光源１５０をオン及びオフするためのオン／オフスイッチまたは他のコントロールを含む場合がある。いくつかの例では、電力供給源は、様々な強度のＵＶ光源をオンにするか、治療用途に応じて経時的に強度を変調させる能力を含むことになる。電力供給源は、異なるタイプのＵＶ光源１５０に関しては異なるものとなる場合がある。たとえば、ＬＥＤの実施態様に必要な電力は、冷陰極の実施態様よりも低い場合がある。
【００３７】
本開示の別の実施形態では、たとえば、図９Ａ〜図９Ｅに示すように、ＵＶ光管理システムは、送達用ロッド９００、ＵＶ光源９５０、及び光源アタッチメント９２０を含む場合がある。ここで、光源アタッチメント９２０は、ＵＶ光源９５０と送達用ロッド９００との間に取り付けられるように構成されている。送達用ロッド９００は、最小のロスでＵＶ−Ａ／ＵＶ−Ｂの伝達距離を延ばすために、光スペクトルからのＵＶＣを除くホウケイ酸塩セグメント９５０を含む場合があり、純粋なシリカ（石英）９００で形成されたセグメントがこれに続く。たとえば、純粋な石英のセグメントのみを使用することは、顕著なＵＶ−Ｃ光放射（たとえば、４，３００マイクロワット／ｃｍ２のＵＶ−Ｃ）を検出する結果となることが示されているが、ＵＶ光源９５０と送達用ロッド９００との間にホウケイ酸塩の短いセグメント（たとえば、ホウケイ酸塩フィルタ）を伴う純粋な石英のロッドを使用することは、ＵＶ−Ａ及びＵＶ−Ｂの検出レベルより上（たとえば、３０ｃｍより上）、かつ、送達用ロッド９００の先端における１０マイクロワット／ｃｍ２のＵＶＣ光のみになる結果となる。このことは、ＵＶ光が送達用ロッド９００を通してのＵＶ光の一様な送達のために、送達用ロッド９００の本体に反射して戻されたことを意味している。ＵＶ光源９５０は、ＵＶ光源９５０に給電する出力源（図示せず）に接続されるように構成され得る。
【００３８】
図９Ａ〜図９Ｅ、及び図１０を同時に参照すると、送達用ロッド９４０は、産業用ダイヤモンドを使用したスコアリングによって形成される場合があり、それにはガラスカッターオイルが使用され、（曖昧にというよりはむしろ）きれいに切れるように両側に圧力が印加される。送達用ロッド９４０の先端は、ドリル（たとえば、５００ＲＰＭのドリル）によって丸くされている場合があり、ここで、ドリルは、プレミアムダイヤモンド研磨パッド（たとえば、１２０グリットから２００グリットのプレミアムダイヤモンド研磨パッド）及びサンドペーパー（たとえば、４００のサンドペーパー）を使用する。その後に、送達用ロッド９００の本体は、１２０グリットから２００グリットのプレミアムダイヤモンド研磨パッドで磨かれ得、それにより、ＵＶ−Ｃのない光（たとえば、ＵＶ−Ａ及びＵＶ−Ｂ）を、送達用ロッド９００の本体を通して発することができるようになっている。
【００３９】
光源アタッチメント
図１、図９Ａ〜図９Ｅ、及び図１０を参照すると、ＵＶ光管理デバイスの各々は、送達用ロッド９４０（または送達用チューブ１００）と、光源９５０（または出力源１２０）との間に置かれた光源アタッチメント９００を含む場合がある。光源アタッチメント９００は、本体９２０と、この本体９２０をエンクロージャ（たとえば、ロッド、カテーテル、ハンドルなど）に取り付ける締結機構９１０（たとえば、ネジ、ストッパネジ、締結具、釘など）とを含む場合がある。本体９２０は、光源（または電力供給源）に接続するように構成された前端アパーチャ９７０と、ロッド（またはカテーテル）に接続するように構成された後端アパーチャ９８０とを含む場合がある。前端アパーチャ９７０の直径は、約１０．１ｍｍである場合があり、後端アパーチャ９８０の直径は約５ｍｍである場合がある。締結機構９１０は、長さが約３ｍｍである場合がある。光源アタッチメント９００は、熱伝導のため、及び光強度の減衰を抑えるために、アルミニウムで形成されている場合がある。前端アパーチャ９７０と後端アパーチャ９８０の両方の直径は、たとえば、特定のカテーテル、チューブ、ロッドなどにフィットするために、様々である場合がある。光源アタッチメント９００は、前端アパーチャ９７０と後端アパーチャ９８０との間に、光のロスを低減するように構成された凸レンズ９３０をも含む場合がある。凸レンズは、光のロスを低減しかつ光を収束させる、半凸状の耐熱レンズを含む場合がある。
【００４０】
ＵＶレンジ
図４は、開示のデバイス及び方法によって実施され得るＵＶレンジを示している。たとえば、光源は、ＵＶ−Ａレンジ及びＵＶ−Ｂレンジのみの光を送達し得、ＵＶ−Ｃレンジの光は送達しない。他の例では、システム及び方法は、３つのＵＶレンジすべての光を送達する場合があるか、可視スペクトルの光をも送達する場合がある。いくつかの例では、ＵＶ−Ａ光のみ、またはＵＶ−Ｂ光のみが、特定の表示及び治療のために、放射され得る。
【００４１】
他の電磁レンジ
いくつかの例では、末期の腸のＧＶＨＤまたは腫瘍形成を治療するために、放射され得るレンジは、ｘ線の波長をも含んでいる。ｘ線の波長は、ＵＶ−Ｃレンジの光よりもわずかに短い波長を有している。
【実施例】
【００４２】
以下の実施例は、請求される発明を良好に説明するために提供されるものであり、本発明の範囲を限定するものとして解釈されることは意図されていない。具体的な材料またはステップが述べられている範囲において、単に例示の目的のためのものであり、本発明を限定することは意図していない。当業者は、発明的能力を発揮せずに、かつ、本発明の範囲を逸脱することなく、均等の手段または作用するものを開発し得る。
【００４３】
消化管の治療
図５及び図６は、結腸及び／または直腸内の異常を治療するための例示的用途を示している。たとえば、図５は、介護者により、肛門を通して結腸内に挿入される場合がある光源１５０を含む送達用チューブ１００を示している。このため、送達用チューブ１００は、治療場所、たとえば、結腸、腸の一部もしくはほとんど（たとえば、図６を参照）、または、口を介して胃（たとえば、図７を参照）に誘導される場合がある。次いで、電力供給源（または光源）１２０がオンにされて、ＵＶ光１５０で治療場所を照らす場合がある。
【００４４】
いくつかの例では、このことは、本明細書により完全に記載するように、潰瘍性結腸炎及びクローン結腸炎、ＩＢＤ、感染性疾患、ならびに、他のものを含む様々な炎症性の病気を治療するために利用され得る。図示のように、病気のサイズ、位置、及びタイプに応じて、送達用チューブ１００は、送達用タブ１００の特定の部分または長さに埋め込まれるか包含される場合がある、様々な量の光源１５０を含む場合がある。
【００４５】
図７は、内視鏡または他の送達用チューブ１００が口腔キャビティを通り、食道を通り、胃内に挿入されている実施形態を示している。この例では、胃の感染または炎症性の病気が、ＵＶ光源１５０で治療され得る。
【００４６】
カプセル
図８は、患者によって嚥下される場合がある送達用デバイスのためのカプセル８００を利用したシステムの例を示している。カプセル８００は、光源１５０と、この光源１５０に給電するための電力供給源１２０とを包含する場合がある。いくつかの例では、カプセル、またはカプセルの一部は、カプセルを通して光が放射されることを可能にするように、透過性材料で形成される。カプセルは、消化管内のカプセルの位置を評価するために、追跡デバイスを包含している場合がある。カプセル送達システムは、連続しているか断続的な、制御された送達のために、中空の臓器内で挟まれている場合がある。
【００４７】
いくつかの例では、カプセルは、ピルのサイズか、それより小さい場合があり、また、口腔摂取可能である場合がある。カプセルは、カプセルが消化管の特定の部分に達したか、達した可能性がもっとも高い際に、ＵＶ光源をオン、オフにするためのタイマを含む場合がある。たとえば、カプセルは、３０分、１時間、または２時間後にカプセルをオンにするためのシンプルなタイマを包含している場合がある。たとえば、カプセルは、カプセルが消化管に達して、ＩＢＳまたは他の感染性もしくは炎症性の状態を治療するまで、光源１５０をオンにしない場合がある。
【００４８】
カテーテル
いくつかの例では、送達用デバイスは、カテーテルチューブ１００である場合があり、このカテーテルチューブ１００は、動脈、尿道、または、患者の身体の他の部位に挿入可能である場合がある。たとえば、カテーテルチューブ１００は、ガイドワイヤが通ることを可能にする中空部分を含む場合がある。したがって、介護者は、ガイドワイヤを治療場所に誘導し、次いで、カテーテルをガイドワイヤにわたって通し、カテーテルを治療場所に、または治療場所を越えて誘導する場合がある。
【００４９】
内視鏡の実施態様などのカテーテルチューブ１００は、次いで、動脈内にＵＶ治療を施すのに適切な任意の種類の光源１５０を包含する場合がある。いくつかの例では、この実施態様は、ＬＥＤなどの、より小さい光源１５０を使用する場合がある。
【００５０】
本開示の別の例では、送達用デバイスは、（たとえば、図１１に示すように）身体に導入された泌尿器のカテーテルとして膀胱に挿入される場合がある、カテーテルチューブ１００である場合があり、それにより、尿路感染症をＵＶ光で消毒するようになっている。別の例では、送達用デバイスは、直腸をＵＶ光で治療するために、直腸内に挿入されたバルーンの一部である場合がある。さらに別の例では、送達用デバイスは、患者の膣の感染症を治療するための膣用ロッド内に組み込まれている場合がある。
【００５１】
体外
他の例では、（たとえば、透析器械による）患者からの血液は、体外に移され、血液にはＵＶ光（たとえば、ＵＶ−Ａ及びＵＶ−Ｂ）が放射される。これら例では、血液は、血液を患者に戻す前に血液にＵＶ光を放射する器械を通される場合がある。この例では、血液内の細胞以外の体組織に対するリスクが少ないことから、かなり強いか、高度に電力が与えられたＵＶ−Ａ及びＵＶ−Ｂの光が利用される。
【００５２】
治療レジメン
本明細書における手順は、複数の異なる炎症性及び感染性疾患を治療するために利用される場合がある。したがって、異なる量または時間のＵＶ放射の処方線量が、（１）病気のタイプ、（２）光源のタイプ、（３）光源の出力、（４）光源のＵＶレンジ、及び（５）感染または炎症の重症度に応じて施される場合がある。たとえば、いくつかの実施形態では、付与時間は、カプセルの消化の割合によって判定され、処方量を変化させるために、他の因子（たとえば、光源の出力、ＵＶレンジなど）を操作することができる。他の例では、内視鏡は、１時間、３０分、２時間、または他の適切な時間の間、医者／外科医によって送達され得る。
【００５３】
以下は、治療レジメン及びそれらの用途の例である。したがって、本明細書に開示のデバイス及び方法が、これらの様々な状態を治療するために適合され得る。
【００５４】
消化管：
１．潰瘍性大腸炎及びクローン病、急性／慢性的な嚢炎、ならびに、他の慢性的な炎症性腸病（ＩＢＤ）の治療。
２．ＩＢＤに関連しない直腸炎の治療。
３．ＩＢＤに関するか、ＩＢＤに関連しない瘻孔の治療。
４．炎症性狭窄症の治療。
５．微細な結腸炎の治療。
６．ＵＶ光放射カプセルを使用した感染性の下痢の治療。
７．難治のヘリコバクター・ピロリ（Ｈｅｌｉｃｏｂａｃｔｅｒ  ｐｙｌｏｒｉ）及びＭＡＬＴリンパ腫の治療。
８．食道の扁平苔癬及び尋常性天疱瘡の治療。
９．難治のクロストリジウム・ディフィシル（Ｃｌｏｓｔｒｉｄｉｕｍ  Ｄｉｆｆｉｃｉｌｅ）の治療。
１０．結腸無力症、熱帯性スプルー、小児脂肪便症、小腸内細菌異常増殖、盲腸炎の骨髄移植後の感染、偽ポリープ（鼻ポリープに類似）、及び放射線腸炎の治療。
１１．形成異常を伴うか伴わない、バレット食道（Ｂａｒｒｅｔｔ’ｓ  ｅｓｏｐｈａｇｕｓ）の治療。
１２．日々のＵＶ光カプセルでの肝性脳症の治療。
１３．残胃内にＰＥＧを通してＩＬＴ（内部光治療）カテーテルを配置することによるルーワイ（Ｒｏｕｘ  ｅｎ  Ｙ）の患者の盲係蹄症候群の治療。
１４．ＵＶ光を放射することができる透明の排液線での肛門周囲の瘻孔の治療。
１５．経皮的供給または吸引チューブに関連した感染の量の低減。
１６．粘膜及び粘膜下層に限定される消化器癌の治療。
１７．肝胆汁性の感染、炎症、ならびに、粘膜及び粘膜下層に限定される癌の治療。
【００５５】
泌尿器学及び腎臓学：
１．微生物の負荷を根絶するか低減するための、透析の間の、既知の菌血症、真菌血症、またはウイルス血症の、患者の血液の消毒。代替的に、光ニードルが瘻孔内に置かれ、透析窓の外であってもオンにされ得る。エキソビボ感度分析が、より狭い波長であるが、より強いＩＬＴに関して行われる。
２．カテーテルに依存する患者の体内に留置された泌尿器のカテーテルを殺菌する。
３．粘膜及び粘膜下層に限定される膀胱及び尿道の癌の治療。
４．難治の膀胱炎／尿路感染症の治療。
５．ＵＶ光線療法を腹膜の透析カテーテルに加えて、腹膜炎リスク、及び、長期の腹膜硬化症のリスクさえ低減する。
【００５６】
心臓病
１．微生物の負荷を根絶するか低減するための、ＬＶＡＤでの、既知の菌血症、真菌血症、またはウイルス血症の、患者の血液の消毒。代替的に、光ニードルが瘻孔内に置かれ、透析窓の外であってもオンにされ得る。エキソビボ感度分析が、より狭い波長であるが、より強いＵＶ治療に関して行うことができる。
２．弁膜にＵＶ光を直接露光することで治療されている、難治のバクテリア及び真菌性心内膜炎。光増感剤は、この場合、静脈に与えられ得る。
【００５７】
歯学
１．歯肉炎の治療。
２．白板症及び口腔扁平苔癬の治療。
３．粘膜及び粘膜下層に限定される癌の治療。
【００５８】
呼吸器学
１．肺炎を防止するために、チューブ内のバクテリア、及び、喉頭周りに集積するバクテリアも除去するように、ＥＴチューブを吸引している間、ＩＬＴチューブを配置する。
２．断続的放射を伴うＩＬＴ能力を有するＥＴチューブを構築する。
３．ＩＬＴを胸部管に備え付けることにより、蓄膿症の治療を向上させる。
【００５９】
血液学／腫瘍学
１．腸に起こる移植片対宿主病の治療。ｘ線の波長が、この場合に発せられ、リンパ球の死滅に繋がる。このことは、わずかな腸移植または緩和ケアを待っている、末期のクローン病の患者に使用することができる。
【００６０】
耳鼻咽喉（ＥＮＴ）
１．慢性的静脈洞炎の治療。
２．慢性耳炎の治療。
３．鼓膜切開術を必要とする患者の急性中耳炎の治療。
４．鼻ポリープの治療（ＵＶ光が鼻ポリープを縮小するエビデンスが存在する。添付文書を参照）。
５．口臭の治療。
６．再発する扁桃腺炎／咽頭炎の治療。
７．粘膜及び粘膜下層に限定される癌の治療。
【００６１】
外科手術
１．ＵＶ光技術を伴うドレインを備えることにより、膿瘍の治療を向上させる。
２．多重感染を避けるために外科用ドレインを使用する。
３．吻合治療プロセスを加速する。
４．接着作用を防止することを補助する。
【００６２】
神経外科
１．難治の髄膜炎の治療におけるＵＶ光の、鞘内の光ファイバによる送達。
２．難治のシャント感染症の治療。
３．鞘内またはくも膜下のＵＶ治療でのプリオン病の治療。
４-ウイルス量を低減することによる、ＪＣウイルスに関する進行性多巣性白質脳症の治療。
【００６３】
婦人科学
１．バクテリアまたは真菌による膣症の治療。
２．直腸膣瘻／結腸膀胱瘻の治療。
３．粘膜及び粘膜下層に限定される癌の治療。
【００６４】
リューマチ学
１．炎症性及び感染性の、大きい関節の関節炎の治療のための関節内ＩＬＴ。
【００６５】
結腸鏡検査
１．図１４は、マウスの結腸鏡検査で使用されている、ＵＶ放射デバイスの例を示す図である。結腸鏡検査は、安全に行った。パラメータには、１，１００マイクロワット／ｃｍ２の強度の１０分及び３０分のＵＶ露光の後の正常な結腸鏡検査７２時間が含まれる。
【００６６】
膣治療
１．図１５Ａ及び図１５Ｂは、マウスの膣治療で使用されている、ＵＶ放射デバイスの例を示す図である。
【００６７】
実験
以下の実験データのセットは、請求される発明を良好に説明するために提供されるものであり、範囲を限定するものとして解釈されることは意図されていない。
【００６８】
図１２及び図１３は、大腸菌の増殖を防止するために使用されている、本開示のＵＶ放射デバイスの例を示す実験データの図である。図示のように、ＵＶ光が適用されていないコントロールグループは、増殖し続け、一方、ＵＶ放射デバイスを通してＵＶ光が提供されたテストグループは、経時的に大腸菌が減少し続けることを示した。ＵＶ光は、大腸菌が増殖することを防止することと、やはりバクテリアを経時的に死滅させることとの両方を示した。
【００６９】
図１６Ｂは、大腸菌を含む液体培養で使用されている、本開示のＵＶ放射デバイスの例を示す図である。実験の結果は、たとえば図１６Ａ及び図１７〜図２２に示されている。すべての結果は、ＵＶ−Ａ及びＵＶ−Ｂの光が、本開示のＵＶ放射デバイスによって液体サンプルに発せられた場合に、液体サンプル内の大腸菌の増殖が著しく低減されたことを示している。
【００７０】
図１６Ａは、以下の表１に示す条件に従って行った実験の結果を示している。
【００７１】
（表１）結果
2019517305.tif 000003
【００７２】
図１７は、以下の表２に示す条件に従って行った実験の結果を示している。
【００７３】
（表２）結果
2019517305.tif 000004
【００７４】
図１８Ａは、以下の表３に示す条件に従って行った実験の結果を示している。
【００７５】
（表３）結果
2019517305.tif 000005
【００７６】
図１８Ｂは、以下の表４に示す条件に従って行った実験の結果を示している。
【００７７】
（表４）結果
2019517305.tif 000006
【００７８】
図１９は、以下の表５に示す条件に従って行った実験の結果を示している。
【００７９】
（表５）結果
2019517305.tif 000007
【００８０】
図２０は、以下の表６に示す条件に従って行った実験の結果を示している。
【００８１】
（表６）結果
2019517305.tif 000008
【００８２】
図２１は、以下の表７に示す条件に従って行った実験の結果を示している。
【００８３】
（表７）結果
2019517305.tif 000009
【００８４】
図２２は、以下の表８に示す条件に従って行った実験の結果を示している。
【００８５】
（表８）結果
2019517305.tif 000010
【００８６】
結論
上述の様々な方法及び技術により、本発明を実施する複数の方法が提供されている。当然、必ずしもすべての記載の目的または利点が、本明細書に記載の任意の特定の実施形態に従って達成され得るわけではないことを理解されたい。このため、たとえば、当業者は、本方法が、本明細書に教示された１つの利点または利点のグループを、本明細書に教示されるか提案された他の目的または利点を必ずしも達成することなく、達成するか最大限に利用するような方式で実施できることを理解するであろう。様々な代替形態が、本明細書に述べられている。いくつかの実施形態が明確に、１つの、別の、またはいくつかの特徴を含む一方、他の実施形態は、明確に、１つの、別の、またはいくつかの特徴を除外し、一方、さらに他の実施形態は、１つの、別の、またはいくつかの有利な特徴を含むことにより特定の特徴を緩和することを理解されたい。
【００８７】
さらに、当業者は、異なる実施形態からの様々な特徴の適用可能性を理解するであろう。同様に、上述の様々な要素、特徴、及びステップ、ならびに、そのような要素、特徴、またはステップの各々に関する他の既知の均等物は、当業者により、様々な組合せで採用されて、本明細書に記載の原理に係る方法を実施することができる。様々な要素、特徴、及びステップの中で、いくつかが、明確に含まれ、別の実施形態では、他のものが明確に除外されている。
【００８８】
特定の実施形態及び実施例の文脈において本出願が開示されてきたが、本出願の実施形態は、明確に開示された実施形態を越えて、他の代替的実施形態及び／または使用、ならびに、それらの変形及び均等物に拡大されることを、当業者には理解されたい。
【００８９】
いくつかの実施形態では、本出願の特定の実施形態を記載する文脈（特に、添付の特許請求の範囲のいくつかの文脈内）において使用される「１つの（ａ）」、「１つの（ａｎ）」、及び「その（ｔｈｅ）」の用語、ならびに類似の参照は、単一のものと複数のものとの両方をカバーするものと解釈することができる。本明細書における値のレンジの列挙は、そのレンジ内にある各々の別々の値に個別に言及する簡略的方法としての役割を果たすことが単に意図されている。本明細書において別様に示されていない限り、個別の値の各々は、その値が本明細書に個別に述べられているかのように、本明細書に組み込まれている。本明細書に記載の方法はすべて、本明細書において別様に示されているか、文脈により、別様に明確に矛盾していない限り、任意の適切な順番で実施することができる。任意の及びすべての例の使用、または、本明細書の特定の実施形態に関して提供される例示的言語（たとえば、「ｓｕｃｈ  ａｓ」）は、本出願をより明確にすることを単に意図するものであり、別様に請求される本出願の範囲を限定するものではない。本明細書の言語は、本出願の実施に必須である、任意の請求されていない要素を示すものと解釈されるべきではない。
【００９０】
本出願の特定の実施形態が、本明細書に記載されている。これら実施形態の変形形態は、上述の記載を読むことで、当業者には明らかとなるであろう。当業者が、そのような変形形態を適宜採用することができ、本出願を、本明細書に特に記載のものとは別様に実施することができることが予想される。したがって、この出願の多くの実施形態は、適用法によって認可された、本明細書に添付される特許請求の範囲に述べられた主題の変形形態及び均等物をすべて含んでいる。さらに、それらのすべての可能性のある変更形態での、上述の要素の任意の組合せは、本明細書に別様に示されているか、文脈によって明確に別様に矛盾していない限り、本出願によって包含される。
【００９１】
本主題の特定の実施態様が記載されてきた。他の実施態様は、添付の特許請求の範囲の範囲内にある。いくつかのケースでは、特許請求の範囲に記載の動作は、異なる順番で実施され得、かつ、依然として所望の結果を得る。さらに、添付図面に記載のプロセスは、所望の結果を達成するために、図示の特定の順番、または順次的な順番を必ずしも必要としない。
【００９２】
本明細書で参照される、すべての特許、特許出願、特許出願の公報、ならびに、記事、本、明細書、公報、文献、物事、及び／または類似のものなどの他の資料は、これら参照されるものか、本文献と一致しないか矛盾するこれら参照されるもののいずれか、または、ここで、または後に本文献と関連付けられる、特許請求の範囲のもっとも広い範囲に関する限定的影響を有する場合がある、これら参照されるもののいずれかに関連する、いずれの訴訟ファイルの履歴を除き、本明細書により、この参照が、すべての目的のために参照の全体において本明細書に組み込まれる。例として、組み込まれている要素のいずれかに関連付けられた用語の記載、定義、及び／または使用と、本文献に関連付けられた用語の記載、定義、及び／または使用との間に、いずれかの不一致または矛盾が存在する場合、本文献に関連付けられた用語の記載、定義、及び／または使用が優勢である。
【００９３】
最後に、本明細書に開示される本出願の実施形態は、本出願の実施形態の原理を説明するものであることを理解されたい。採用することができる他の変形は、本出願の範囲内とすることができる。このため、例として、限定ではなく、本出願の実施形態の代替的構成が、本明細書の教示に従って利用することができる。したがって、本出願の実施形態は、図示され、記載されるようなものに、明確に限定されるものではない。
【図１】
2019517305.tif 000011
【図２】
2019517305.tif 000012
【図３】
2019517305.tif 000013
【図４】
2019517305.tif 000014
【図５】
2019517305.tif 000015
【図６】
2019517305.tif 000016
【図７】
2019517305.tif 000017
【図８】
2019517305.tif 000018
【図９Ａ】
2019517305.tif 000019
【図９Ｂ】
2019517305.tif 000020
【図９Ｃ】
2019517305.tif 000021
【図９Ｄ】
2019517305.tif 000022
【図９Ｅ】
2019517305.tif 000023
【図１０】
2019517305.tif 000024
【図１１】
2019517305.tif 000025
【図１２】
2019517305.tif 000026
【図１３】
2019517305.tif 000027
【図１４】
2019517305.tif 000028
【図１５】
2019517305.tif 000029
【図１６】
2019517305.tif 000030
【図１７】
2019517305.tif 000031
【図１８】
2019517305.tif 000032
【図１９】
2019517305.tif 000033
【図２０】
2019517305.tif 000034
【図２１】
2019517305.tif 000035
【図２２】
2019517305.tif 000036
【国際調査報告】
2019517305.tif 000037
2019517305.tif 000038
2019517305.tif 000039